(57)【要約】      （修正有）【課題】自動的に温度を一定に保つＰＴＣヒーター、すなわち、センサー異常、ヒーター空焼き状態においても、発熱管の焼け付きや管損傷が発生せず、エネルギー利用効率も高いＰＴＣヒーターを提供する。【解決手段】金属外管２の内部に熱伝導サポート４を設け、熱伝導サポート４には軸方向に複数のシートスペース５が設けられ、各シートスペース５にＰＴＣ発熱シート６があり、ＰＴＣ発熱シート６の表面は絶縁スリーブ７で覆われ、ＰＴＣ発熱シート６においては、接続ボックスに近い一端には絶縁スリーブ７の電極リード線６１が伸び、電極リード線６１は接続ボックスに入る電源コードと電気的に接続されている。ＰＴＣ発熱シート６の恒温発熱特性を利用し、ＰＴＣ発熱シート６は通電後に熱を発して温度上昇し、抵抗値が増す温度レンジに入ると、周囲温度の変化にともなって熱の出力が自動調節され、ＰＴＣ発熱シート６の表面温度は一定に保たれ、ヒーターの電力消費を最小に抑える。【選択図】図３
0003198700.tif 000002
【実用新案登録請求の範囲】
【請求項１】
接続ボックス及び接続ボックスに固定された金属外管を含み、
金属外管の内部には内壁と接触する熱伝導サポートを設け、熱伝導サポートには軸方向に複数のシートスペースが設けられ、各シートスペースにＰＴＣ発熱シートがあり、ＰＴＣ発熱シートの表面は絶縁スリーブで覆われ、ＰＴＣ発熱シートにおいては、接続ボックスに近い一端には絶縁スリーブの電極リード線が伸び、電極リード線は接続ボックスに入る電源コードと電気的に接続されていることを特徴とする、
ＰＴＣヒーター。
【請求項２】
請求項１において、この熱伝導サポートは、金属外管内部においてその内壁と接触する管状のアルミ型材、及びこの管状のアルミ型材内部のアルミインナーによって構成されており、前記のシートスペースはアルミ型材の内部に設けられており、アルミインナーは、シートスペースに向き合う位置において、シートスペースに向けて突き出し、且つＰＴＣ発熱シートをシートスペースの壁に押え付ける働きをする位置決め突起を具備していることを特徴とする請求項１記載のＰＴＣヒーター。
【請求項３】
請求項２において、ＰＴＣ発熱シートと位置決め突起の間に銅シートを設け、位置決め突起は銅シートを通して間接的にＰＴＣ発熱シートをシートスペースの壁に押え付けることを特徴とする請求項２記載のＰＴＣヒーター。
【請求項４】
請求項３において、銅シートと位置決め突起の間にアルミ入れ子を設け、アルミインナーの位置決め突起は、順を追って、アルミ入れ子、銅シートを通して間接的に、絶縁スリーブで覆われたＰＴＣ発熱シートをシートスペースの壁に押え付けることを特徴とする、請求項３記載のＰＴＣヒーター。
【請求項５】
請求項１において、ＰＴＣ発熱シートを覆う絶縁スリーブとシートスペースとが耐熱グルーで接着されていることを特徴とする、請求項１記載のＰＴＣヒーター。
【考案の詳細な説明】
【技術分野】
【０００１】
本考案は一種のヒーター、特にＰＴＣヒーターに関するものである。
【背景技術】
【０００２】
プリント基板（ＰＣＢ）業界で用いる従来型のヒーターは、耐熱ステンレスシームレス管内に多数の高温用抵抗線を均一に設け、シームレス管内の空隙部分に、熱伝導性と絶縁性に優れた結晶酸化マグネシウム粉を密に充填し、高温用抵抗線に通電したときに発生する熱が、結晶酸化マグネシウム粉を通して金属管の表面に拡散し、さらに過熱される液体に伝えられて、加熱の目的を達成する、というものである。
【０００３】
この種のヒーターには以下のような欠点がある。
１、周囲温度の変化にともなって熱の出力を調節できないので、ヒーター消費電力を最小限に抑えることができず、エネルギー利用効率が低い。
２、ヒーターが温度を一定に保つことができず、ヒーターが液体中になく、ヒーターのセンサーに異常があれば、加熱管が空焼けして温度が急激の上昇し、シームレス管がすぐに焼け付き、管破損の事態に至ることもある。このような問題はプリント基板（ＰＣＢ）業者にとって致命的であり、加熱管にこのような異常が発生すれば、ヒーターの損壊のみならず、可燃性のプリント基板に引火して火災が発生することもあり得る。
【０００４】
よって、上述の従来の技術は数多くの欠点を抱えており、設計の改良が待たれるのが現状である。
【考案の概要】
【考案が解決しようとする課題】
【０００５】
本考案の目的は、自動的に温度を一定に保つＰＴＣヒーター、すなわち、センサー異常、ヒーター空焼き状態においても、発熱管の焼け付きや管損傷が発生せず、エネルギー利用効率も高いＰＴＣヒーターを提供することにある。
【課題を解決するための手段】
【０００６】
本考案に述べるＰＴＣヒーターは、接続ボックス及び接続ボックスに固定された金属外管を含み、金属外管の内部には内壁と接触する熱伝導サポートを設け、熱伝導サポートには軸方向に複数のシートスペースが設けられ、各シートスペースにＰＴＣ発熱シートがあり、ＰＴＣ発熱シートの表面は絶縁スリーブで覆われ、ＰＴＣ発熱シートにおいては、接続ボックスに近い一端には絶縁スリーブの電極リード線が伸び、電極リード線は接続ボックスに入る電源コードと電気的に接続されている。
【０００７】
本考案に述べるＰＴＣヒーターは、ＰＴＣ発熱シートを発熱ユニットとし、ＰＴＣ発熱シートの恒温発熱特性を利用し、ＰＴＣ発熱シートは通電後に熱を発して温度上昇し、抵抗値が増す温度レンジに入ると、周囲温度の変化にともなって熱の出力が自動調節され、ＰＴＣ発熱シートの表面温度は一定に保たれ、ヒーターの電力消費を最小に抑える。
発熱効率の高いサーミスタを用いれば、電気の利用効率を大幅に上げることができる。しかも、ヒーター空焼き、センサー異常といった事態が起きても、発熱管の焼け付きや管損傷が発生しないので、火災を防止することができ、ヒーターの延命にもつながる。
【図面の簡単な説明】
【０００８】
【図１】本考案のＰＴＣヒーターの立体図
【図２】本考案のＰＴＣヒーターの正面図
【図３】本考案のＰＴＣヒーターの図２におけるＡ−Ａ方向断面図
【考案を実施するための形態】
【０００９】
本考案の技術的な内容、目的、効果に対する理解を深めるため、図面を添えて詳細に説明を行う。
【実施例】
【００１０】
本考案の目的、技術的要素、長所を明確化するため、以下において図面に沿って実施例を紹介し、本考案の詳細説明を行う。ここに叙述する具体的な実施例は本考案を説明するためにのみ用いられるべきであり、本考案を限定するものであってはならない。
【００１１】
以下、添付図面に沿って本考案を詳細に説明する。
【００１２】
図１から図３に示すＰＴＣヒーターは、接続ボックス１及び接続ボックス１に固定された金属外管２を含み、金属外管２の内部には内壁と接触する熱伝導サポート４を設け、熱伝導サポート４には軸方向に複数のシートスペース５が設けられ、各シートスペース５にはサーミスタを備えたＰＴＣ発熱シート６があり、ＰＴＣ発熱シート６の表面は絶縁スリーブ７で覆われ、ＰＴＣ発熱シート６においては、接続ボックスに近い一端に絶縁スリーブ７の電極リード線６１が伸び、電極リード線６１は接続ボックスに入る電源コード３と電気的に接続されている。
ＰＴＣ発熱シート６の恒温発熱特性を利用し、ＰＴＣ発熱シート６は通電後に熱を発して温度上昇し、抵抗値が増す温度レンジに入ると、周囲温度の変化にともなって熱の出力が自動調節され、ＰＴＣ発熱シート６の表面温度は一定に保たれ、ヒーターの電力消費を最小に抑える。同時に発熱効率の高いサーミスタを用いれば、電気の利用効率を大幅に上げることができる。しかも、ヒーター空焼き、センサー異常といった事態が起きても、発熱管の焼け付きや管損傷が発生しないので、火災を防止することができ、ヒーターの延命にもつながる。
【００１３】
この熱伝導サポート４は熱伝導効率のいいアルミ製とし、金属外管２内部においてその内壁と接触する管状のアルミ型材４１、及び管状のアルミ型材４１内部のアルミインナー４２によって構成されている。前記のシートスペース５はアルミ型材４１の内部に設けられており、アルミインナー４２は、シートスペース５に向き合う位置において、シートスペース５に向けて突き出し、且つＰＴＣ発熱シート６をシートスペース５の壁に押え付ける働きをする位置決め突起４２１を具備している。
【００１４】
ＰＴＣ発熱シート６外の絶縁スリーブが位置決め突起４２１に押しつぶされないようにするため、そしてＰＴＣ発熱シート６で発生した熱を効率よく熱伝導サポート４に伝えるため、ＰＴＣ発熱シート６と位置決め突起４２１の間に銅シート８を設け、位置決め突起４２１は銅シート８を通して間接的にＰＴＣ発熱シート６をシートスペース５の壁に押え付ける。
【００１５】
位置決め突起４２１がより適切な形でＰＴＣ発熱シート６をシートスペース５の壁に押え付けるようにするため、銅シート８と位置決め突起４２１の間にアルミ入れ子９を設ける。このアルミ入れ子９はくさび形の入れ子で、アルミインナー４２の位置決め突起４２１は、順を追って、アルミ入れ子９、銅シート８を通して間接的に、絶縁スリーブ７で覆われたＰＴＣ発熱シート６をシートスペース５の壁に押え付ける。
【００１６】
ＰＴＣ発熱シート６をより適切な形でシートスペース５の壁に押え付けるため、ＰＴＣ発熱シート６を覆う絶縁スリーブ７とシートスペース５とを耐熱グルーで接着する。
【００１７】
以上の詳細な説明は本考案における実施例の具体的説明にとどまり、これをもって実用新案登録の範囲が限定されるべきではない。本考案に係わる技能に精通した者が、本考案の趣旨に従い、適度な修飾や変化を加えることで同等の効果を得た場合は、以下における実用新案登録請求の範囲内とする。
【００１８】
本考案は、空間の利用方法に前例がなく、従来の物品に上述の機能や効果が付加されており、新規性、進歩性という実用新案登録の要件を満たしていると思われることから、ここに実用新案登録を出願する。
【符号の説明】
【００１９】
１      接続ボックス
２      金属外管
３      電源コード
４      熱伝導サポート
４１    アルミ型材
４２    アルミインナー
４２１  位置決め突起
５      シートスペース
６      ＰＴＣ発熱シート
６１    電極リード線
７      絶縁スリーブ
８      銅シート
９      アルミ入れ子
【図１】
0003198700.tif 000003
【図２】
0003198700.tif 000004
【図３】
0003198700.tif 000005